(57)【要約】      （修正有）【課題】製品競争力を高める高い光の透過率を備えた表示パネルを提供する。【解決手段】表示パネルは、第１の基板１１と、第２の基板１２と、電極層１４１、１４３とを備え、電極層は、第１の基板上に第２の基板と対向するよう配設され、しかも一方向に沿って配置されるとともに互いが第１の距離Ｓを隔てている複数の電極部１４３１を備えている。光が複数の電極部を通過するときに、複数の明縞と暗縞とを組み合わせてなる輝度分布を形成し、第１の暗縞の中心と第３の暗縞の中心とは第２の距離Ｋを隔てている。ＫおよびＳは下記の数式を満たすとともに、Ｓは１≦Ｓ≦１０の条件を満たし、ＳおよびＫの単位はμｍである。0003195679.tif 000020【選択図】図１Ｂ
0003195679.tif 000002
【実用新案登録請求の範囲】
【請求項１】
第１の基板と、
前記第１の基板に対向して設けられている第２の基板と、
前記第１の基板上に配設されるとともに前記第２の基板に対向している電極層と、を備えており、
前記電極層は、一方向に沿って配置されるとともに互いが第１の距離Ｓを隔てている複数の電極部を備えており、光が前記複数の電極部を通過するときに、複数の明縞と複数の暗縞とを組み合わせてなる輝度分布が形成され、前記複数の暗縞は連続して現れる第１の暗縞と、第２の暗縞と、第３の暗縞とを含んでおり、前記第１の暗縞の中心と前記第３の暗縞の中心とは第２の距離Ｋを隔てており、ＫおよびＳは下記の数式を満たすとともに、Ｓは１≦Ｓ≦１０の条件を満たし、ＳおよびＫの単位はμｍであることを特徴とする、表示パネル。
【数１】
0003195679.tif 000016
【請求項２】
ＫおよびＳが下記の数式を更に満たすことを特徴とする、請求項１に記載の表示パネル。
【数２】
0003195679.tif 000017
【請求項３】
前記電極層が、前記複数の電極部の対向する両端に位置するとともに前記複数の電極部に接続されている第１の接続部を更に備えたことを特徴とする、請求項１に記載の表示パネル。
【請求項４】
前記電極層が、前記複数の電極部の外側周縁を囲むように設けられるとともに前記複数の電極部に接続されている第２の接続部を更に備えたことを特徴とする、請求項１に記載の表示パネル。
【請求項５】
前記第１の暗縞の中心または前記第３の暗縞の中心が前記複数の電極部のうち隣接する２つの間の位置に対応しており、前記第２の暗縞の中心が前記複数の電極部のうちの１つの位置に対応していることを特徴とする、請求項１に記載の表示パネル。
【請求項６】
前記第１の暗縞の中心または前記第３の暗縞の中心が前記複数の電極部のうちの１つの位置に対応しており、前記第２の暗縞の中心が前記複数の電極部のうち隣接する２つの間の位置に対応していることを特徴とする、請求項１に記載の表示パネル。
【請求項７】
第１の基板と、
前記第１の基板に対向して設けられている第２の基板と、
前記第１の基板上に配設されるとともに前記第２の基板に対向している電極層と、を備えており、
前記電極層は、一方向に沿って配置されるとともに互いが第１の距離Ｓを隔てている複数の電極部を備えており、光が前記複数の電極部を通過するときに、複数の山部と複数の谷部とを組み合わせてなる輝度分布曲線を前記方向に沿って有する輝度分布が形成され、前記複数の谷部は連続して現れる第１の谷部と、第２の谷部と、第３の谷部とを含んでおり、前記第１の谷部と前記第３の谷部とは第２の距離Ｋを隔てており、ＫおよびＳは下記の数式を満たすとともに、Ｓは１≦Ｓ≦１０の条件を満たし、ＳおよびＫの単位はμｍであることを特徴とする、表示パネル。
【数３】
0003195679.tif 000018
【請求項８】
ＫおよびＳが下記の数式を更に満たすことを特徴とする、請求項７に記載の表示パネル。
【数４】
0003195679.tif 000019
【請求項９】
前記電極層が、前記複数の電極部の対向する両端に位置するとともに前記複数の電極部に接続されている第１の接続部を更に備えたことを特徴とする、請求項７に記載の表示パネル。
【請求項１０】
前記電極層が、前記複数の電極部の外側周縁を囲むように設けられるとともに前記複数の電極部に接続されている第２の接続部を更に備えたことを特徴とする、請求項７に記載の表示パネル。
【請求項１１】
前記第１の谷部または前記第３の谷部が前記複数の電極部のうち隣接する２つの間の位置に対応し、前記第２の谷部が前記複数の電極部のうちの１つの位置に対応していることを特徴とする、請求項７に記載の表示パネル。
【請求項１２】
前記第１の谷部または前記第３の谷部が前記複数の電極部のうちの１つの位置に対応し、前記第２の谷部が前記複数の電極部のうち隣接する２つの間の位置に対応していることを特徴とする、請求項７に記載の表示パネル。
【考案の詳細な説明】
【技術分野】
【０００１】
本考案は表示パネルに関し、特に高い光の透過率（ｔｒａｎｓｍｉｔｔａｎｃｅ）を備えた表示パネルに関する。
【背景技術】
【０００２】
科学技術の進歩に伴い、フラット型表示装置は各種技術分野に広く用いられており、とりわけ液晶表示装置に用いられている。液晶表示装置は薄くて軽量で、消費電力が少なく、そして放射線を放出しないなどの優越した特性により、従来のＣＲＴ表示装置に徐々に取って代わりつつある。そして例えば携帯電話機、携帯型マルチメディア機器、ノート型パソコン、液晶テレビジョンおよび液晶モニタなどといった数多くの電子製品に用いられている。
【０００３】
従来の液晶表示装置は、主に液晶表示パネル（ＬＣＤ Ｐａｎｅｌ）とバックライトモジュール（Ｂａｃｋｌｉｇｈｔ Ｍｏｄｕｌｅ）とを備えており、両者は対向して配設されている。液晶表示パネルはカラーフィルタ基板と、ＴＦＴ基板と、これら２枚の基板の間に介在されている液晶層とを備えており、カラーフィルタ基板およびＴＦＴ基板と液晶層とでアレイ配列して配設されている複数の画素セルを形成するようになっている。バックライトモジュールは液晶表示パネルを透過する光を発光可能であるとともに、液晶表示パネルの各画素セルを発色させることで画像を形成している。
【０００４】
同じ輝度について言えば、透過率の高い表示パネルを用いることにより表示装置を更に省電力化できるため、各製造業者は、省電力の目的を達成して製品の競争力を高めるべく、表示パネルの透過率を向上させることに努力している。このうち、ＴＦＴ基板上の透明導電層のパターン設計もまた表示パネルの透過率に影響する要素の１つであって、とりわけパネルの解像度（ｐｐｉ）が高くなるほど、パネルに高い透過率を持たせるために、透明導電層のパターンもまた検討を要する要素の１つとなっている。
【考案の概要】
【考案が解決しようとする課題】
【０００５】
本考案の目的は、製品の競争力を高めるべく、高い光の透過率を備えた表示パネルを提供することにある。
【課題を解決するための手段】
【０００６】
上記目的を達成するために、本考案の表示パネルは、第１の基板と、第１の基板に対向して設けられている第２の基板と、第１の基板上に配設されるとともに第２の基板に対向している電極層と、を備えており、電極層は、一方向に沿って配置されるとともに互いが第１の距離Ｓを隔てている複数の電極部を備えており、光が前記複数の電極部を通過するときに、複数の明縞と複数の暗縞とを組み合わせてなる輝度分布が形成され、前記複数の暗縞は連続して現れる第１の暗縞と、第２の暗縞と、第３の暗縞とを含んでおり、第１の暗縞の中心と第３の暗縞の中心とは第２の距離Ｋを隔てており、ＫおよびＳは下記の数式を満たすとともに、Ｓは１≦Ｓ≦１０の条件を満たし、ＳおよびＫの単位はμｍである。
【０００７】
【数１】
0003195679.tif 000003
【０００８】
本考案の好ましい実施例においては、ＫおよびＳが下記の数式を更に満たす。
【０００９】
【数２】
0003195679.tif 000004
【００１０】
本考案の好ましい実施例においては、前記電極層が、前記複数の電極部の対向する両端に位置するとともに前記複数の電極部に接続されている第１の接続部を更に備える。
【００１１】
本考案の好ましい実施例においては、前記電極層が、前記複数の電極部の外側周縁を囲むように設けられるとともに前記複数の電極部に接続されている第２の接続部を更に備える。
【００１２】
本考案の好ましい実施例においては、前記第１の暗縞の中心または前記第３の暗縞の中心が前記複数の電極部のうち隣接する２つの間に対応しており、前記第２の暗縞の中心が前記複数の電極部のうちの１つに対応している。
【００１３】
本考案の好ましい他の実施例においては、前記第１の暗縞の中心または前記第３の暗縞の中心が前記複数の電極部のうちの１つに対応しており、前記第２の暗縞の中心が前記複数の電極部のうち隣接する２つの間に対応している。
【００１４】
更にまた、上記目的を達成するために、本考案の表示パネルは第１の基板と、第１の基板に対向して設けられている第２の基板と、第１の基板上に配設されるとともに第２の基板に対向している電極層と、を備えており、電極層は、一方向に沿って配置されるとともに互いが第１の距離Ｓを隔てている複数の電極部を備えており、光が前記複数の電極部を通過するときに、複数の山部と複数の谷部とを組み合わせてなる輝度分布曲線を前記方向に沿って有する輝度分布が形成され、前記複数の谷部は連続して現れる第１の谷部と、第２の谷部と、第３の谷部とを含んでおり、第１の谷部と第３の谷部とは第２の距離Ｋを隔てており、ＫおよびＳは下記の数式を満たすとともに、Ｓは１≦Ｓ≦１０の条件を満たし、ＳおよびＫの単位はμｍである。
【００１５】
【数３】
0003195679.tif 000005
【００１６】
本考案の好ましい実施例においては、ＫおよびＳが下記の数式を更に満たす。
【００１７】
【数４】
0003195679.tif 000006
【００１８】
本考案の好ましい実施例においては、前記電極層が、前記複数の電極部の対向する両端に位置するとともに前記複数の電極部に接続されている第１の接続部を更に備える。
【００１９】
本考案の好ましい実施例においては、前記電極層が、前記複数の電極部の外側周縁を囲むように設けられるとともに前記複数の電極部に接続されている第２の接続部を更に備える。
【００２０】
本考案の好ましい実施例においては、前記第１の谷部または前記第３の谷部が前記複数の電極部のうち隣接する２つの間に対応し、前記第２の谷部が前記複数の電極部のうちの１つに対応している。
【００２１】
本考案の好ましい他の実施例においては、前記第１の谷部または前記第３の谷部が前記複数の電極部のうちの１つに対応し、前記第２の谷部が前記複数の電極部のうち隣接する２つの間に対応している。
【考案の効果】
【００２２】
上記の如く、本考案の表示パネルにおいては、電極層における複数の電極部は、一方向に沿って配置されるとともに互いが第１の距離Ｓを隔てていることにより、光が前記複数の電極を通過するときに、複数の明縞と複数の暗縞とを組み合わせてなる輝度分布が形成され、前記複数の暗縞は、連続して現れる第１の暗縞と、第２の暗縞と、第３の暗縞とを含んでおり、第１の暗縞の中心と第３の暗縞の中心とは第２の距離Ｋを隔てて形成され、或いはまた、光が前記複数の電極部を通過するときに、複数の山部と複数の谷部とを組み合わせてなる輝度分布曲線を前記方向に沿って有する輝度分布が形成され、前記複数の谷部は、連続して現れる第１の谷部と、第２の谷部と、第３の谷部とを含んでおり、第１の谷部と第３の谷部とは第２の距離Ｋを隔てて形成され、このとき、ＫおよびＳが下記の数式を満たすことにより、本考案の表示パネルに優れた透過率を持たせることができる。下記の数式のうち、Ｓは１≦Ｓ≦１０の条件を満たしており、ＳおよびＫの単位はμｍである。
【００２３】
【数５】
0003195679.tif 000007
【図面の簡単な説明】
【００２４】
【図１Ａ】本考案の好ましい実施例１に係る表示パネルにおける１つの画素の配置概略図である。
【図１Ｂ】図１ＡにおけるＡ−Ａ線に沿った断面図および一方向に沿った対応輝度分布曲線図である。
【図１Ｃ】図１Ａに示す表示パネルにおける１つの画素の画像概略図である。
【図１Ｄ】図１Ｂにおける第２の電極層の概略図である。
【図２Ａ】透過率を最適化した場合における、明縞周期と輝度分布積分関数との曲線概略図である。
【図２Ｂ】透過率を最適化した場合における、明縞周期の最適値と第１の距離との曲線概略図である。
【図３Ａ】本考案の好ましい実施例２に係る表示パネルの断面概略図である。
【図３Ｂ】図３Ａの表示パネルにおける第２の電極層の概略図である。
【図３Ｃ】本考案の好ましい実施例３に係る表示パネルにおける１つの画素の配置概略図である。
【図３Ｄ】本考案の好ましい実施例４に係る表示パネルにおける１つの画素の配置概略図である。
【図３Ｅ】本考案の好ましい実施例５に係る表示パネルにおける１つの画素の配置概略図である。
【図３Ｆ】本考案の好ましい実施例６に係る表示パネルにおける１つの画素の配置概略図である。
【図４】本考案の好ましい実施例に係る表示パネルを用いた表示装置の概略図である。
【図５】未処理の輝度分布曲線および平滑化後の輝度分布曲線の概略図である。
【考案を実施するための形態】
【００２５】
以下に、関連する図面を参照して、本考案の好ましい実施例に係る表示パネルを説明するが、このうち同じ構成要素は同じ符号を付して説明する。
【実施例１】
【００２６】
図１Ａないし図１Ｄを参照されたい。図１Ａは本考案の好ましい実施例１の表示パネル１において、１つの画素Ｐの配置概略図であり、図１Ｂは図１ＡにおけるＡ−Ａ線に沿った断面図および一方向に沿った対応輝度分布曲線図であり、図１Ｃは図１Ａに示す表示パネルにおける１つの画素Ｐの画像概略図であり、図１Ｄは図１Ｂにおける第２の電極層１４３の概略図である。
【００２７】
表示パネル１は限定しないが、例えばフリンジフィールドスイッチング（ｆｒｉｎｇｅ ｆｉｅｌｄ ｓｗｉｔｃｈｉｎｇ、ＦＦＳ）式液晶表示パネル、またはその他の水平駆動式の液晶表示パネルである。また、この後の説明を分かりやすくするため、図１Ａには表示パネル１における２本の走査線Ｇ、２本のデータ線Ｄ、１つの画素Ｐおよび１つの第２の電極層１４３の配置のみを示し、表示パネル１のその他の構成要素は示していない。また、本実施例において、図１Ａないし図１Ｄには、第１の方向Ｘ（水平方向）、第２の方向Ｙ（垂直方向）および第３の方向Ｚが示されており、第１の方向Ｘ、第２の方向Ｙおよび第３の方向Ｚは実質的には２つずつで互いに垂直状態となっている。このうち、第１の方向Ｘは走査線Ｇの延在方向と実質的に平行するものであり、第１の方向Ｘもまた実質的に第２の電極層１４３の複数の電極部１４３１と垂直状態となっており、第２の方向Ｙはデータ線Ｄの延在方向と実質的に平行しており、そして第３の方向Ｚは、第１の方向Ｘおよび第２の方向Ｙにそれぞれ垂直となっている。
【００２８】
図１Ｂに示すように、表示パネル１は第１の基板１１と、第２の基板１２と、液晶層１３とを備えている。第１の基板１１と第２の基板１２とは対向して配設されており、そして液晶層１３は第１の基板１１と第２の基板１２との間に介在されている。このうち、第１の基板１１および第２の基板１２は光透過性材質製であるとともに、例えばガラス基板、石英基板またはプラスチック基板であるが、ここではとくに限定しない。また、表示パネル１は１つの画素アレイを更に備えており、画素アレイは第１の基板１１上に配置されている。このうち、画素アレイは少なくとも１つの画素（または副画素、ｓｕｂ−ｐｉｘｅｌ）Ｐを含んでおり、ここでは、複数の画素Ｐを例示している。前記複数の画素Ｐは第１の基板１１と第２の基板１２との間に位置するとともに、アレイ状に配置されている。また、本実施例における表示パネル１は複数本の走査線Ｇと複数本のデータ線Ｄとを更に備えることができるが、前記複数の走査線Ｇおよび前記複数のデータ線Ｄは交互に配設されるとともに、互いに垂直状態となるように配設することで画素アレイの領域を画定している。
【００２９】
画素Ｐは第１の電極層１４１と、絶縁層１４２と、第２の電極層１４３とを備えている。本実施例において、第１の電極層１４１、絶縁層１４２および第２の電極層１４３は第１の基板１１上に下から上へ第２の基板１２へ向けて配設されている。また、データ線Ｄは第１の基板１１上に配置されるとともに、画素Ｐはデータ線Ｄを覆う他の絶縁層１４５を更に備えて、そして第１の電極層１４１は絶縁層１４５上に設けられている。また、絶縁層１４２が第１の電極層１４１上を覆い、かつ第２の電極層１４３が絶縁層１４２上に配設されることで、第１の電極層１４１を絶縁層１４２と絶縁層１４５との間に介在させて、第１の電極層１４１とデータ線Ｄおよび第２の電極層１４３とがショートしないようになっている。このうち、絶縁層１４２、１４５の材料は限定はしないが、例えば酸化シリコン（ＳｉＯｘ）または窒化シリコン（ＳｉＮｘ）、またはその他の絶縁材料とすることができる。また、第１の電極層１４１および第２の電極層１４３はそれぞれ透明導電層であり、その材料は限定しないが、例えばインジウム・スズ酸化物（ｉｎｄｉｕｍ−ｔｉｎ ｏｘｉｄｅ、ＩＴＯ）またはインジウム・亜鉛酸化物（ｉｎｄｉｕｍ−ｚｉｎｃ ｏｘｉｄｅ、ＩＺＯ）である。本実施例において、第２の電極層１４３はデータ線Ｄに電気的に接続される画素電極（ｐｉｘｅｌ ｅｌｅｃｔｒｏｄｅ）であり（図示せず）、そして第１の電極層１４１は共通電極（ｃｏｍｍｏｎ ｅｌｅｃｔｒｏｄｅ）である。しかし、その他実施例において、第２の電極層１４３もまた共通電極とする一方で、第１の電極層１４１を画素電極としてもよいが、これに限定されない。
【００３０】
また、表示パネル１はブラックマトリクスＢＭ（図１Ｂ）と、フィルタ層（図示せず）とを更に備えることができ、ブラックマトリクスＢＭは第１の基板１１または第２の基板１２上に配設されるとともに、データ線Ｄに対応して配設されている。ブラックマトリクスＢＭは非透光性材質、例えば金属または樹脂であり、そして金属は例えばクロム、酸化クロムまたは窒酸化クロム化合物とすることができる。本実施例において、ブラックマトリクスＢＭは第２の基板１２における第１の基板１１に向いた側に配設されるとともに、データ線Ｄにおける第３の方向Ｚに沿った上方に位置しているため、表示パネル１を上面から見たとき、ブラックマトリクスＢＭがデータ線Ｄを覆うことができるようになっている。フィルタ層は第２の基板１２およびブラックマトリクスＢＭにおける第１の基板１１に向いた側に配設されるか、または第１の基板１１上に配設されている。ブラックマトリクスＢＭは非透光性材質であるため、第２の基板１２上に非透光性の領域を形成することができ、ひいては透光性の領域を画定することができる。ブラックマトリクスＢＭは複数の遮光領域を形成するとともに、隣接する２つのフィルタ部の間に少なくとも１つの遮光領域を形成する。本実施例におけるブラックマトリクスＢＭおよびフィルタ層は第２の基板１２上にそれぞれ配設されているが、その他の実施態様において、ブラックマトリクスＢＭまたはフィルタ層を第１の基板１１上に配設することで、ＢＯＡ（ＢＭ ｏｎ ａｒｒａｙ）基板とするか、またはＣＯＡ（ｃｏｌｏｒ ｆｉｌｔｅｒ ｏｎ ａｒｒａｙ）基板とすることができるが、これに限定されない。また、表示パネル１は保護層（例えばｏｖｅｒ−ｃｏａｔｉｎｇ、図示せず）を更に備えることができるものであり、保護層はブラックマトリクスＢＭおよびフィルタ層を覆うことができる。この場合、保護層の材質は、ブラックマトリクスＢＭおよびフィルタ層が後続工程の影響により損傷しないように保護するために、フォトレジスト材料、樹脂材料または無機材料（例えばＳｉＯｘ／ＳｉＮｘ）などとすることができる。
【００３１】
したがって、表示パネル１における複数の走査線Ｇが走査信号を受信すると、各走査線Ｇに対応するＴＦＴ（図示せず）をそれぞれ導通させるとともに、各行の画素に対応する１つのデータ信号を、複数のデータ線Ｄを介して対応する複数の画素電極に送信することで、表示パネル１での画面表示が可能となる。本実施例において、グレイスケール電圧は各データ線Ｄにより各画素Ｐの第２の電極層１４３（画素電極）に印加されて、第１の電極層１４１（共通電極）と第２の電極層１４３との間に電界を形成することで、液晶層１３における液晶分子を第１の方向Ｘと第２の方向Ｙとで構成する平面上で回転させるように駆動して、これによって光を調節して表示パネル１に画像を表示させることができる。
【００３２】
第２の電極層１４３は複数の電極部１４３１と第１の接続部１４３２とを備えている。本実施例において、図１Ｄに示すように、第２の電極層１４３は３個の電極部１４３１（電極部１４３１はその他の整数、例えば２個または４個などとしてもよい）を備えており、第１の接続部１４３２は前記複数の電極部１４３１の対向する両端に位置するとともに、前記複数の電極部１４３１に接続されている。このうち、前記複数の電極部１４３１は第１の方向Ｘに沿って並べて平行に配置されるとともに互いが第１の距離Ｓで隔てられており（または、第１の距離Ｓを隣接する２つの電極部１４３１の間の最短距離とすることができる）、かつ第２の電極層１４３の各々の電極部１４３１の第１の方向Ｘに沿った電極の幅はそれぞれＷとされて、電極の幅Ｗの範囲は例えば、０．５μｍ≦Ｗ≦１０μｍであり、最適には１μｍ≦Ｗ≦５μｍである。
【００３３】
また、第２の電極層１４３の電極パターンにより、前記第２の電極層１４３（画素電極）が電圧によって駆動されるとともに光が複数の電極部１４３１を通過したとき、複数の明縞と複数の暗縞とを組み合わせてなる輝度分布が第１の方向Ｘに沿って形成される。このうち、光が前記複数の電極部１４３１を通過するときに形成した明縞および暗縞において、前記複数の暗縞は図１Ｂ中に示す輝度分布曲線Ｃの複数の谷部に対応し、そして前記複数の明縞は輝度分布曲線Ｃの複数の山部に対応している。図１Ｃに示すように、前記複数の暗縞は、連続して現れる第１の暗縞（符号１）、第２の暗縞（符号２）および第３の暗縞（符号３）を含んでおり、第１の暗縞の中心と第３の暗縞の中心とは第２の距離Ｋを隔てている。そのうち、第１の暗縞の中心または第３の暗縞の中心は前記複数の電極部１４３１のうち隣接する２つの間の位置に対応しており、そして第２の暗縞の中心は前記複数の電極部１４３１のうちの１つの位置に対応している。即ち、本実施例においては、第１の暗縞の中心および第３の暗縞の中心は前記複数の電極部１４３１のうち隣接する２つの間の位置にそれぞれ対応し、かつ第２の暗縞の中心は前記複数の電極部１４３１のうちの１つの位置に対応している。したがって、第２の距離Ｋを、第１の電極部１４３１の中心と第３の電極部１４３１の中心との間の第１の方向Ｘに沿った距離としてもよい。しかしながら、その他の実施例において、第１の暗縞の中心または第３の暗縞の中心が前記複数の電極部１４３１のうちの１つの位置に対応し、かつ第２の暗縞の中心が前記複数の電極部１４３１のうち隣接する２つの間の位置に対応するようにすることもできるが、本考案はこのいずれかに限定されることなく、輝度分布曲線Ｃの谷部（または山部）または暗縞の中心が、間隔が最も遠い２つの電極部１４３１の側縁の間に対応するのであればよい。また、さらなる実施例において、前記複数の明縞が、連続して現れる第１の明縞と、第２の明縞と、第３の明縞とを含んでおり、かつ第２の距離Ｋを第１の明縞の中心と第３の明縞の中心との間の距離として定義することもできる。
【００３４】
更に言及しておきたいことは、本実施例では、前記複数の暗縞が、連続して現れる第１の暗縞と、第２の暗縞と、第３の暗縞とを含んでおり、かつ第１の暗縞の中心と第３の暗縞の中心とが第２の距離Ｋを隔てているが、図１Ｂに示すように、暗縞が輝度分布曲線Ｃの谷部に対応している一方で、明縞が輝度分布曲線Ｃの山部に対応しているため、前記複数の谷部は、連続して現れる第１の谷部と、第２の谷部と、第３の谷部とを含み、かつ第２の距離Ｋを第１の谷部と第３の谷部との間の距離として定義することもできる。ここで、第１の谷部または第３の谷部は前記複数の電極部１４３１のうち隣接する２つの間の位置に対応し、かつ第２の谷部は前記複数の電極部１４３１のうちの１つの位置に対応している。または、第１の谷部または第３の谷部は前記複数の電極部１４３１のうちの１つの位置に対応し、かつ第２の谷部は前記複数の電極部１４３１のうち隣接する２つの間の位置に対応させることもできるが、これに限定されない。またあるいは、さらなる実施例において、前記複数の山部が、連続して現れる第１の山部と、第２の山部と、第３の山部とを含み、かつ第２の距離Ｋを第１の山部と第３の山部との間の距離として定義することもできる。
【００３５】
図１Ｂに示す輝度分布曲線Ｃから分かるように、画素Ｐの透過輝度は輝度分布曲線Ｃの積分により得られる。言い換えるならば、輝度分布曲線Ｃを積分して得られる曲線より下の面積はすなわち、画素Ｐの透過輝度である。しかしながら、表示パネル１の透過率は明縞および暗縞の分布に影響される。表示パネル１の透過率を分析するために、まずは画素Ｐの透過輝度を分析することができる。画素Ｐの透過輝度が最適である場合、表示パネル１全体の透過輝度も最適であろうと推測できる。
【００３６】
発明者らは輝度分布曲線中にて、谷部（暗縞）は、第２の距離Ｋが大きくなるにつれて輝度（積分面積）が小さくなることを発見した。また、山部（明縞）は、第２の距離Ｋが大きくなるにつれて輝度（積分面積）が大きくなるため、ある特定の電極部１４３１の間隔（つまり第１の距離Ｓが一定値にある）において、対応する最適の第２の距離Ｋ（または暗縞周期Ｋ、またあるいは明縞周期Ｋ）が見つかりさえすれば、その全体的な輝度積分（すなわち、暗縞周期Ｋの輝度積分、または明縞周期Ｋの輝度積分）を最大値として、画素Ｐおよび表示パネル１の透過率を最適にすることができるわけである。
【００３７】
したがって、第１の距離Ｓおよび第２の距離Ｋは輝度分布曲線Ｃに影響する要因、つまり、透過輝度に影響する要因であるため、本実施例ではＫ、Ｓのパラメータを含む関数Ｌ（ｘ）によりその関係を記述する。このうち、関数Ｌ（ｘ）は輝度分布曲線方程式（ｘは位置変数である）である。
【００３８】
【数６】
0003195679.tif 000008
0003195679.tif 000009
【００３９】
続いて、上記式の関数Ｌ（ｘ）で１つの明縞（または暗縞）周期Ｋの長さに対して積分をするとともに、１／Ｋを乗算すれば、単位当たりの明縞（または暗縞）周期Ｋでの輝度分布積分関数ｆ（Ｋ）、すなわち、単位当たりの輝度（Ｌｕ）および明縞（または暗縞）周期Ｋの関係関数、Ｌｕ＝ｆ（Ｋ）が得られる。更に、図２Ａに示すように、ｆ（Ｋ）に微分を行って、その結果を０とすること（下記の数式を参照）により、その極値を取得する。
また、下記の数式のうち、ａ，ｂ，ｃ，ｄ，ｅはＫおよびＳを含む係数である。以上により、最適な透過率が得られる場合において、明縞（または暗縞）周期の最適値（Ｋ＿ｏｔｍ）と第１の距離Ｓとの関係式は、Ｋ＝ｈ（Ｓ）で示される。
【００４０】
【数７】
0003195679.tif 000010
【００４１】
数式Ｋ＝ｈ（Ｓ）はかなり複雑であるため、本考案では数式Ｋ＝ｈ（Ｓ）を直接に解くことなく、数値解法でこの問題を解決している。数値解法では、ある数値Ｓを上記数式の関数Ｌ（ｘ）に代入するとともに、関数Ｌ（ｘ）で１つの明縞（または暗縞）周期Ｋの長さに対して積分して、１／Ｋを乗算した後（Ｋの長さに対して積分を行うため、１／Ｋを乗算して、単位当たりの明縞周期での輝度分布積分、つまり単位当たりの輝度Ｌｕを得る必要がある）、更に正規化処理を行うことで、当該数値Ｓでの、単位当たりの輝度Ｌｕと明縞周期Ｋとの関係関数Ｌｕ＝ｆ（Ｋ）を得ることができる。
【００４２】
【数８】
0003195679.tif 000011
【００４３】
Ｓには数値が代入されているため、ａ，ｂ，ｃ，ｄ，ｅはＫしか含まない係数となっている。続いて、当該数値Ｓにて、ｆ（Ｋ）の最大値が対応する最適値（Ｋ＿ｏｔｍ）を探し出してから、継続して異なる数値Ｓを代入して上記計算を繰り返すことで、異なるＳに対応する最適値（Ｋ＿ｏｔｍ）を得ることができる。よって、異なる数値Ｓを代入することによりその対応する最適値（Ｋ＿ｏｔｍ）を探し出すことで、最適な透過率での第１の距離Ｓと明縞（または暗縞）周期の最適値（Ｋ＿ｏｔｍ）との関係式、Ｋ＝ｈ（Ｓ）が得られる。例えば、Ｓ＝３μｍであるとき、ｆ（Ｋ）＝−０．１３３１３Ｋ２+１．３３４６１Ｋ−０．３０８５３となり、それを微分するとともにその結果を０とした後にその極値を求めることで、Ｋの最適値として５．０１２４３μｍが得られる。また、Ｓ＝３．５μｍであるとき、ｆ（Ｋ）＝−０．１５８５８Ｋ２+１．７５７９３Ｋ−１．８２４１２となり、それを微分するとともにその結果を０とした後にその極値を求めることで、Ｋの最適値として５．５４２７２μｍが得られる、という具合に計算される。したがって、図２Ｂに示すように、上記の計算を繰り返すことで、Ｋ＝ｈ（Ｓ）の数式（１）が下記の通りに得られる。下記の数式（１）のうち、Ｓは１≦Ｓ≦１０の条件を満たしており、ＳおよびＫの単位はμｍである。
【００４４】
【数９】
0003195679.tif 000012
【００４５】
言い換えるならば、ＫおよびＳの関係式が上記の数式（１）を満たすときに、画素Ｐに優れた透過率を持たせ、ひいては表示パネル１に優れた透過率を持たせることができる。ところが、製造工程でのばらつきを考えると、本実施例において、ＫおよびＳが下記の不等式を満たせば、表示パネル１に優れた透過率を持たせることができる。
【００４６】
【数１０】
0003195679.tif 000013
【００４７】
好ましくは、ＫおよびＳが下記の数式を更に満たせば、表示パネル１に更に優れた透過率を持たせることができる。
【００４８】
【数１１】
0003195679.tif 000014
【００４９】
次に、図３Ａないし図３Ｆを参照されたい。このうち、図３Ａは本考案の好ましい他の実施例２に係る表示パネル１ａの断面概略図であり、図３Ｂは図３Ａの表示パネル１ａにおける第２の電極層１４３ａの概略図であり、図３Ｃないし図３Ｆはそれぞれ、本考案の好ましい実施例３ないし６に係る表示パネル１ｂ、１ｃ、１ｄ、１ｅにおける１つの画素Ｐｂ、Ｐｃ、Ｐｄ、Ｐｅの配置概略図である。
【実施例２】
【００５０】
図３Ａに示すように、表示パネル１ａと図１Ｂにおける表示パネル１との主な相違点は、表示パネル１ａの画素Ｐａの第１の電極層１４１は画素電極であり、かつ第２の電極層１４３ａは共通電極であるところである。このうち、データ線Ｄおよび第１の電極層１４１は第１の基板１１上に配設されている。ここで、第１の電極層１４１は隣接する２本のデータ線Ｄおよび隣接する２本の走査線Ｇ（図示せず）の内側に配置されるとともに、第２の電極層１４３ａは絶縁層１４２を介して第１の電極層１４１およびデータ線Ｄと電気的に絶縁されている。図３Ｂに示すように、第２の電極層１４３ａは３個の電極部１４３１と１個の第２の接続部１４３３とを備えており、第２の接続部１４３３は前記複数の電極部１４３１の外側周縁を囲むように設けられるとともに、前記複数の電極部１４３１に接続されている。
【００５１】
なお、表示パネル１ａのその他の特徴は上記した表示パネル１を参照することができるため、ここでは再度説明はしない。
【実施例３】
【００５２】
また、図３Ｃには本考案の実施例３が示されており、この実施例３の表示パネル１ｂと前記実施例２の表示パネル１ａとの主な相違点は、表示パネル１ｂにおいて、第２の方向Ｙが前記と同様にデータ線Ｄの延在方向と実質的に平行になっており、そして第１の方向Ｘも前記と同様に複数の電極部１４３１と実質的に垂直状態となることで、第１の方向Ｘと第２の方向Ｙとが依然として互いに垂直となっているが、この表示パネル１ｂでは画素Ｐｂを概ね平行四辺形となるようにしているところである。言い換えるならば、本実施例の表示パネル１ｂにおける複数の走査線Ｇおよび複数のデータ線Ｄはなおも交互に配設されているが、互いに垂直状態とはならず、鈍角を形成することで、画素Ｐｂ、第１の電極層１４１ｂおよび第２の電極層１４３ｂを実質的に平行四辺形となるようにしている。
【００５３】
なお、表示パネル１ｂのその他の特徴は上記した表示パネル１ａを参照することができるため、ここでは再度説明はしない。
【実施例４】
【００５４】
また、図３Ｄには本考案の実施例４が示されており、この実施例４の表示パネル１ｃと前記図３Ｃの表示パネル１ｂとの主な相違点は、表示パネル１ｃの画素Ｐｃにおいては、データ線Ｄに屈曲部を形成することで、画素Ｐｃを平行四辺形とせずに、データ線Ｄの屈曲部に対応する屈曲部を形成させているところである。また、第２の電極層１４３ｃの電極部１４３１および第２の接続部１４３３は、データ線Ｄに対応する屈曲部をそれぞれ有しており、かつ第１の電極層１４１ｃもまた、データ線Ｄに対応する屈曲部を有している。また、第１の方向Ｘがなおも第２の電極層１４３ｃの上半部の複数の電極部１４３１と実質的に垂直状態となるとともに、第２の方向Ｙがなおもデータ線Ｄの上半部と実質的に垂直状態となることで、第１の方向Ｘと第２の方向Ｙとは依然として互いに垂直となっている。
【００５５】
なお、表示パネル１ｃのその他の特徴は上記した表示パネル１ｂを参照することができるため、ここでは再度説明はしない。
【実施例５】
【００５６】
また、図３Ｅには本考案の実施例５が示されており、この実施例５の表示パネル１ｄと前記図３Ｃの表示パネル１ｂとの主な相違点は、表示パネル１ｄの画素Ｐｄにおいては、第２の電極層１４３ｄは画素電極であるとともに、データ線Ｄに電気的に接続されており、そして第１の電極層（図示せず）は共通電極であるところである。この場合、第２の電極層１４３ｄは３個の電極部１４３１と１個の第１の接続部１４３２とを備えており、かつ第１の接続部１４３２は前記複数の電極部１４３１の対向する両端に位置するとともに、前記複数の電極部１４３１に接続されている。
【００５７】
なお、表示パネル１ｄのその他の特徴は上記した表示パネル１ｂを参照することができるため、ここでは再度説明はしない。
【実施例６】
【００５８】
また、図３Ｆには本考案の実施例６が示されており、この実施例６の表示パネル１ｅと前記図３Ｄの表示パネル１ｃとの主な相違点は、表示パネル１ｅの画素Ｐｅにおいては、第２の電極層１４３ｅは画素電極であるとともに、データ線Ｄに電気的に接続されており、そして第１の電極層（図示せず）は共通電極であるところである。この場合、第２の電極層１４３ｅは３個の電極部１４３１と１個の第１の接続部１４３２とを備えており、かつ第１の接続部１４３２は前記複数の電極部１４３１の対向する両端に位置するとともに、前記複数の電極部１４３１に接続されている。
【００５９】
なお、表示パネル１ｅのその他の特徴は上記した表示パネル１ｃを参照することができるため、ここでは再度説明はしない。
【００６０】
続いて、本考案の好ましい実施例に係る表示パネルを用いた表示装置２の概略図である図４を参照されたい。
【００６１】
表示装置２は、表示パネル３と、バックライトモジュール（Ｂａｃｋｌｉｇｈｔ Ｍｏｄｕｌｅ）４とを備えており、表示パネル３とバックライトモジュール４とは対向して配設されている。このうち、表示パネル３は上記した本考案に係る表示パネル１、１ａ、１ｂ、１ｃ、１ｄ、１ｅのうちの１つとするか、またはその変化態様とすることができるものであるため、ここでは再度説明はしない。バックライトモジュール４から発せられた光Ｅが表示パネル３を通過すると、表示パネル３における各画素は色彩を表示することで画像を形成させることができる。
【００６２】
特に説明すべきは、前記画素Ｐ、Ｐａ〜Ｐｅの輝度分布曲線Ｃを得るために、例えば光学顕微鏡（ＯＭ Ｏｐｔｉｃａｌ Ｍｉｃｒｏｓｃｏｐｙ）を用いて、光が第２の電極層１４３を通過したときに生じる明暗縞（このとき、表示パネルでは最も明るいグレイスケール状態で表示される）を撮影することができる。この場合、光学顕微鏡の拡大倍率は例えば２０倍、その写真解像度は例えば６４０×４８０とすることができる。画像をキャプチャーするとき、電極部１４３１が実質的に平行に配置されている方向（つまり第１の方向Ｘ）に沿った各々の位置に対応するグレイスケールを数値に変換することで、当該方向に沿った輝度分布生データ（ｒａｗ ｄａｔａ）を得ることができる。
【００６３】
しかしながら、光学顕微鏡の撮影上の問題（例えば解像度の問題）により、明暗縞が明晰ではなくなり、輝度分布の生データ（ｒａｗ ｄａｔａ）にノイズが多く含まれる可能性があるため、これらの生データをソフトウェア（例えばＯｒｉｇｉｎＰｒｏ７．５）で平滑化（Ｓｍｏｏｔｈｉｎｇ）データ処理を行って、図５に示すように、平滑化後の輝度分布曲線を得られるようにすることが望ましい。
【００６４】
上記をまとめるに、本考案に係る表示パネルにおいては、電極層の複数の電極部は、一方向に沿って配置されるとともに互いが第１の距離Ｓを隔てていることにより、光が前記複数の電極部を通過するときに、複数の明縞と複数の暗縞とを組み合わせてなる輝度分布が形成され、前記複数の暗縞は、連続して現れる第１の暗縞と、第２の暗縞と、第３の暗縞とを含んでおり、第１の暗縞の中心と第３の暗縞の中心とは第２の距離Ｋを隔てて形成され、或いはまた、光が前記複数の電極を通過するときに、複数の山部と複数の谷部とを組み合わせてなる輝度分布曲線を前記方向に沿って有する輝度分布が形成され、前記複数の谷部は、連続して現れる第１の谷部と、第２の谷部と、第３の谷部とを含んでおり、第１の谷部と第３の谷部とは第２の距離Ｋを隔てて形成され、このとき、ＫおよびＳが下記の数式を満たすことにより、本考案の表示パネルに優れた透過率を持たせることができる。下記の数式のうち、Ｓは１≦Ｓ≦１０の条件を満たしており、ＳおよびＫの単位はμｍである。
【００６５】
【数１２】
0003195679.tif 000015
【００６６】
以上は本考案に係る表示パネルの単に例示的なものであって、本考案を限定するものではない。本考案の技術的思想および範囲から外れることなく行われる何らかの等価の修正または変更は、いずれも別紙の実用新案登録請求の範囲に含まれる。
【産業上の利用可能性】
【００６７】
本考案は以上の構成により、製品の競争力を高めるべく、高い透過率を備えた表示パネルを提供し得る。
【符号の説明】
【００６８】
１、１ａ〜１ｅ、３    表示パネル
１１    第１の基板
１２    第２の基板
１３    液晶層
１４１、１４１ａ、１４１ｃ    第１の電極層
１４２、１４５    絶縁層
１４３、１４３ａ〜１４３ｅ    第２の電極層
１４３１    電極部
１４３２    第１の接続部
１４３３    第２の接続部
２    表示装置
４    バックライトモジュール
ＢＭ    ブラックマトリクス
Ｃ    輝度分布曲線
Ｄ    データ線 
Ｅ    光
Ｇ    走査線
Ｋ    第２の距離
Ｋ＿ｏｔｍ    明縞周期の最適値
Ｐ、Ｐａ〜Ｐｅ    画素
Ｓ    第１の距離
Ｗ    電極の幅
Ｘ    第１の方向 
Ｙ    第２の方向
Ｚ    第３の方向
【図１Ａ】
0003195679.tif 000021
【図１Ｂ】
0003195679.tif 000022
【図１Ｄ】
0003195679.tif 000023
【図２Ａ】
0003195679.tif 000024
【図２Ｂ】
0003195679.tif 000025
【図３Ａ】
0003195679.tif 000026
【図３Ｂ】
0003195679.tif 000027
【図３Ｃ】
0003195679.tif 000028
【図３Ｄ】
0003195679.tif 000029
【図３Ｅ】
0003195679.tif 000030
【図３Ｆ】
0003195679.tif 000031
【図４】
0003195679.tif 000032
【図５】
0003195679.tif 000033
【図１Ｃ】
0003195679.tif 000034